(57)【特許請求の範囲】
【請求項１】
デジタル回線の通信線に接続されるデジタル加入者系の回線終端装置（ＤＳＵ）を内蔵する通信機器（ＴＥ）と電話局との参照点であるＵ点に設置され、
第1の所定時間に渡って加入者線の電圧値又は電流値が所定の正常値であるか否かを監視し、前記回線終端装置がハングアップした時、ハングアップによる回線断を検出するハングアップ検出回路と、
加入者線をリセット（切断／接続又は短絡／開放）するリレー回路と、
前記リレー回路のリセット動作を制御するリレー制御回路を有し、
前記ハングアップ検出回路によって前記回線断が検出された場合には、前記リレー制御回路は、雷サージにて前記回線終端装置がハングアップしたものと判断し、前記リレー回路を制御し、リセット動作させることを特徴とする加入者線リセット装置。
【請求項２】
前記リセット動作の後、前記ハングアップ検出回路によって第２の所定時間に渡って数回連続で回線断が検出された場合には、前記リレー制御回路は、前記回線終端装置のハングアップ以外の回線断と判断して前記リレー回路によるリセット動作を一時停止させることを特徴とする請求項１記載の加入者線リセット装置。
【請求項３】
さらに、前記ハングアップ検出回路、前記リレー回路、及び前記制御回路を駆動するための単電圧若しくは複数電圧のコンパチブルとなる電源回路を設けたことを特徴とする請求項１記載の加入者線リセット装置。
【請求項４】
前記第1の所定時間は数秒程度であり、前記第２の所定時間は数分程度であることを特徴とする請求項２記載の加入者線リセット装置。
【請求項５】
前記リセット動作の一時停止は、正常運転である所定電圧以下になると自動的に解除されるか、直流電源の再投入若しくは電源スイッチのオフ／オンにてにて解除されることを特徴とする請求項２乃至４のいずれか一つに記載の加入者線リセット装置。
【請求項６】
前記所定電圧が約２８Ｖであることを特徴とする請求項４記載の加入者線リセット装置。
【請求項７】
デジタル回線の通信線に接続されるデジタル加入者系の回線終端装置（ＤＳＵ）を内蔵する通信機器（ＴＥ）と電話局との参照点であるＵ点に設置され、
加入者線をリセット（切断／接続又は短絡／開放）するリレー回路と、
前記リレー回路のリセット動作を制御するリレー制御回路を有し、
前記通信機器は、前記レイヤ２の起動／停止の状態を監視し、第1の所定時間に渡って４線式メタル回線への信号停止による前記回線終端装置の回線断を検出し、
前記リレー制御回路は、レイヤ２が起動している状態で、前記通信機器により前記回線断が検出された場合、前記回線終端装置がハングアップしたとして、前記通信機器の外部リセット端子を動作させることにより前記リレー回路を動作させることを特徴とする加入者線リセット装置。
【請求項８】
前記リレー制御回路は、前記通信機器によって、レイヤ２が停止している状態で、第２の所定時間に渡って数回連続で回線断が検出された場合、前記回線終端装置のハングアップ以外の回線断と判断し、前記外部リセット端子及び前記リレー回路の動作を無視することを特徴とする請求項７記載の加入者線リセット装置。
【請求項９】
前記第1の所定時間は数秒程度であり、前記第２の所定時間は数分程度であることを特徴とする請求項８記載の加入者線リセット装置。
【請求項１０】
前記回線終端装置のハングアップ以外の回線断の原因を取り除くことによって、前記外部リセット端子及び前記リレー回路の動作の無視が解除されることを特徴とする請求項８又は９記載の加入者線リセット装置。
【請求項１１】
前記外部リセット端子及び前記リレー回路の動作の無視の解除はレイヤ２が起動している場合であることを特徴とする請求項８又は９記載の加入者線リセット装置。
【請求項１２】
前記回線断の検出、前記外部リセット端子の動作、及び前記回線終端装置のハングアップ以外の回線断の判断は、ソフトウェアにて制御するものとすることを特徴とする請求項８乃至１１のいずれか一つに記載の加入者線リセット装置。
【請求項１３】
さらに、前記リレー回路及び前記制御回路を駆動するための単電圧若しくは複数電圧のコンパチブルとなる電源回路を設けたことを特徴とする請求項７乃至１２のいずれか一つに記載の加入者線リセット装置。
【請求項１４】
前記外部リセット端子は既存の端子を利用し、前記リレー制御回路にて、既存のリセット目的への端子出力とリレー回路動作に仕分けされ、通信機器から送信する既存のリセット目的への端子出力の仕分け信号は、ソフトウェアにて制御するものとすることを特徴とする請求項７乃至１３のいずれか一つに記載の加入者線リセット装置。
【請求項１５】
前記通信機器は、ターミナルアダプタ、Ｇ４ファクシミリ、ＴＶ電話、又は移動通信基地局装置であることを特徴とする請求項１乃至１４のいずれか一つに記載の加入者線リセット装置。
【請求項１６】
さらに、通信線又は電源線から侵入した雷サージを接地線又は交流電源線に放流するためのサージ回路を設けたことを特徴とする請求項１乃至１５のいずれか一つに記載の加入者線リセット装置。
【請求項１７】
前記リレー回路にて加入者線が短絡／開放である場合、加入者線リセット装置内部に配線される加入者線を除き、活線状態にて当該装置交換が可能となることを特徴とする請求項１乃至１６のいずれか一つに記載の加入者線リセット装置。
【請求項１８】
前記通信機器が移動通信基地局装置の場合、加入者線リセット装置は既設の電源装置の付帯収容箱に後から設置されることを考慮して、設置スペースを多くとらないよう小型化され、且つ両面テープ又は面ファスナーで自重を支えられる程度の質量に抑えられていることを特徴とする請求項１乃至１７のいずれか一つに記載の加入者線リセット装置。
【請求項１９】
当該装置は防水性のある筺体であり、既設の電源装置の付帯収容箱とは別に設置されることを特徴とする請求項１乃至１８のいずれか一つに記載の加入者線リセット装置。
【請求項２０】
制御回路用の電源として既設の電源装置の直流電源が利用され、低消費電力に抑えられていることを特徴とする請求項１乃至１９のいずれか一つに記載の加入者線リセット装置。
【請求項２１】
前記回線断は、加入者線が物理的に短絡／断線した場合、前記局内回線終端装置が故障又はハングアップした場合、回線終端装置が故障した場合であることを特徴とする請求項１乃至２０のいずれか一つに記載の加入者線リセット装置。
【請求項２２】
加入者線リセット装置として、複数回線における上記各回路を一つの筺体とすることを特徴とする請求項１乃至２１のいずれか一つに記載の加入者線リセット装置。
【請求項２３】
前記通信機器が移動通信基地局装置である場合、既設された回線終端装置を交換する必要が無いことを特徴とする請求項１乃至２２のいずれか一つに記載の加入者線リセット装置。
【請求項２４】
さらに、リセットした回数をカウントするカウント手段と、当該カウントをモニタするモニタ手段を有することを特徴とする請求項１乃至２３のいずれか一つに記載の加入者線リセット装置。
【請求項２５】
前記検出する手段は、前記加入者線に対し高インピーダンスでブランチさせ、加入者線のインピーダンスに影響を与えないことを特徴とする請求項１乃至２４のいずれか一つに記載の加入者線リセット装置。
【請求項２６】
電源供給が断したり、内部回路に故障が発生しても、加入者線には影響を与えず、正常通信で継続できることを特徴とする請求項１乃至２５のいずれか一つに記載の加入者線リセット装置。
【請求項２７】
さらに、装置に不具合が発生した時、アラームを接点により外部に通知するアラ−ム手段を有することを特徴とする請求項１乃至２６のいずれか一つに記載の加入者線リセット装置。
【発明の詳細な説明】
【０００１】
【発明の属する技術分野】
本発明は、デジタル回線の通信線に接続されるデジタル加入者系の回線終端装置（以下ＤＳＵという）が内蔵された通信機器（ターミナルアダプタ／Ｇ４ファクシミリ／ＴＶ電話／移動通信基地局装置等、以下ＴＥという）に関し、特にＤＳＵを内蔵するＴＥと電話局との参照点であるＵ点に設置され、移動通信基地局装置等のＩＳＤＮ回線において、自律的に加入者線をリセットして、特に落雷時のＤＳＵのハングアップを改善する機能を有する加入者線リセット装置に関するものである。
【０００２】
【従来の技術】
ＩＳＤＮは、加入者と電話局との参照点のＵ点と、ＴＥ（ターミナルアダプタ、Ｇ４ファクシミリ、ＴＶ電話、無線基地局装置等）側の参照点のＳ／Ｔ点がある。この間にＤＳＵを介して、電話局からの２線式メタル回線（以下加入者線という）を４線式メタル回線に変換している。日本ではピンポン伝送方式を採用しているが、欧米では伝送距離が長くなるという特徴があるためエコーキャンセラー方式を採用している。
【０００３】
ＩＳＤＮ網の基本インタフェースの構造は、６４ｋｂｐｓの伝送速度を持つ２つのユーザー情報転送用Ｂチャネルと、１６ｋｂｐｓの速度を持つ信号情報転送用のＤチャネル、即ち２Ｂ＋Ｄよりなる。尚、専用回線の場合はＤチャネルは無く２Ｂとなる。Ｓ／Ｔ点において、あたかも物理的に３つのチャネルが並存しているかのように見えるが、実際には２Ｂ＋Ｄの３チャネルが時分割多重化されている。加入者線としては２本のメタリックケーブルが存在するだけで、これを用いて双方向のデジタル伝送が実現する。
【０００４】
このようなＤＳＵは、一般的に通信線又は電源線から雷サージが侵入して故障となりやすいのは周知の事実ではあるが、近年その対策が要求されている。
【０００５】
この要請に応えるために、例えば、特開平１１−４１７９８号公報に開示されているように、ＤＳＵに対して、雷防護アダプタ（以下ＬＰという）を加入者と電話局との参照点のＵ点に設置して、通信線又は電源線から侵入した雷サージを接地線又は交流電源線に放流し、落雷によるＤＳＵ誤動作や内部抵抗溶断（回線断）を保護することが提案されている。この先行技術文献に開示された手法を明確にすべく、以下図３を参照して説明する。
【０００６】
図３において、筺体１０６は、移動通信基地局装置等にてＤＳＵ１０１、ＴＥ１０３、ＬＰ１０５を一体にした筺体を示す。加入者保安器（以下ＡＲＲという）１０７は加入者線引き込み部に設けられるものであり通常は電柱や壁面に設置される。Ｒ１〜Ｒ６は過大な電流がＤＳＵ内部回路１０２やＴＥ内部回路１０４に流入するのを防止するための抵抗、Ｚ１〜Ｚ１２は避雷素子でありガス入り放電管やバリスタやＰＮＰＮ半導体素子などが用いられる。
【０００７】
ＤＳＵ内部回路１０２やＴＥ内部回路１０４が受ける雷害は、その殆どが、屋外の加入者線や電源線に誘導した雷サージが加入者線から電源線へ流出する時、又は電源線から加入者線に流出する時に発生する。このため、通常、ＤＳＵ１０１内には避雷素子Ｚ１〜Ｚ７を実装しており、ＬＰ１０５を接続しなくても、これらの避雷素子が動作して雷サージのバイパス経路を構成し、ＤＳＵ内部回路１０２やＴＥ内部回路１０４の故障を防止できるように設計している。
【０００８】
しかし、多雷地域などでは、これらの避雷素子が内蔵されていても、過大な雷サージ電流が流入するとこれらの避雷素子を破壊してしまうことがある。このため、さらに図３のようなＬＰ１０５を接続して、ＤＳＵ内部回路１０２やＴＥ内部回路１０４のバイパス回路を付加する対策が行われている。
【０００９】
図３のＬＰ１０５は、内部に加入者線側の避雷素子Ｚ８、Ｚ９、及び電源線側の避雷素子Ｚ１０、Ｚ１１を実装しており、雷サージに対して、ＤＳＵ１０１の避雷素子の直列回路より低い電圧で加入者線と電源線の間をバイパスできるように設計されている。
【００１０】
通常、ＤＳＵ１０１の避雷素子Ｚ４〜Ｚ７は加入者線の直流給電電圧等を考慮して動作開始電圧１３５Ｖ〜１９５Ｖのものが用いられる。このため、ＬＰ１０５の加入者線側の避雷素子Ｚ８、Ｚ９には動作開始電圧２００Ｖ〜３００Ｖ（＜１３５Ｖ＋２００Ｖ）、電源線側の避雷素子Ｚ１０、Ｚ１１には動作開始電圧３００Ｖ〜１ｋＶ（＜３００Ｖ〜２ｋＶ）の避雷素子を用いる。このようにすれば、雷害の最も多い加入者線〜電源線の間の雷防護に関しては、ＤＳＵ１０１の避雷素子が動作する前にＬＰ１０５の避雷素子が動作して、雷サージ電流をＬＰ１０５の方に流すことができ（図３の点線矢印）、ＤＳＵ１０１やＴＥ１０３の被害を減少することが可能である。
【００１１】
しかし、このような対策を施しても、製造ばらつき等によって避雷素子Ｚ４、Ｚ５とＺ６、Ｚ７の間や、避雷素子Ｚ８とＺ９の間などに動作特性のばらつきが生じるのは避けられず、加入者線Ｌ１とＬ２の間にサージ電圧が生じることがある。この加入者線Ｌ１とＬ２の間に発生するサージ電圧の対策として、ＤＳＵ１０１に避雷素子Ｚ１（動作開始電圧１１０Ｖ程度）が挿入されているが、避雷素子Ｚ１が動作すると雷サージ電流がＬ１、Ｒ１、Ｒ２、Ｌ２のように流れることとなり、その電流が大きいと今度は抵抗Ｒ１、Ｒ２（１５Ω程度）が溶断して回線断という故障が発生してしまう問題がある。又、避雷素子Ｚ１が動作しないような低いサージ電圧の場合でも、ＤＳＵ内部回路１０２にサージが侵入して回路自体が誤動作するという問題も発生している。
【００１２】
従来の技術では、このような加入者線Ｌ１とＬ２の間のサージ電圧によって、ＤＳＵ１０１が誤動作したり、ＤＳＵ１０１内の抵抗が溶断して回線断となる問題を解決するために、ＬＰ１０５において、加入者線の２線間にＺ１２を挿入して雷サージのバイパス回路を構成している。このＺ１２は、双方向性２極サイリスタやアバランシェダイオードやツェナーダイオードなどの動作開始電圧が１５５Ｖ以下のものである。
【００１３】
又、従来の技術では、ＬＰ１０５をアナログ回線でも使用できるようにするため、避雷素子Ｚ８、Ｚ９の動作開始電圧の下限値をアナログ回線のダイヤル信号でも問題とならない１２５Ｖ以上としている。即ち、アナログ回線では、電話を呼び出すダイヤル信号により７５±８Ｖ（実効値）＝１１７Ｖ（ピーク値）の電圧が加わるからである。
【００１４】
【発明が解決しようとする課題】
ところが、この技術では、避雷素子の動作開始電圧が１２５Ｖ以上であるため、それ以下の雷サージが侵入した場合、ＬＰを挿入しても、ＤＳＵが誤動作するという問題がある。ＤＳＵの誤動作として、ＤＳＵがハングアップする現象があり得る。
【００１５】
さらには、避雷素子の動作開始電圧を１２５Ｖ以上より低い値とすることは、前述のようにアナログ回線に影響が出てしまう。若しくは、デジタル回線であっても加入者線電圧（オープン：上限電圧約６０Ｖ）に近くなり誤動作しやすくなる。このため、避雷素子による改善には限界があるという問題もある。
【００１６】
又、ＤＳＵがハングアップして伝送路が不通となった場合、移動通信基地局装置等は即時に現地に駆け付けるのが困難なため、伝送事業者からループ試験をすることにより、一時的に回線への直流給電電圧が除去されることより、ＤＳＵのハングアップが復旧して正常運用とすることができる。但し、この時、他の移動通信事業者の移動通信基地局装置も同様な状況であり、伝送事業者からのループ試験の順番待ちとなり、復旧するまでかなりの時間を要してしまう。
【００１７】
本発明の主な目的は、移動通信基地局等において、伝送事業者のループ試験に代わる機能として、自律的に加入者線をリセット（切断／接続、又は短絡／開放）をしてやれば順番待ちをせずに早く復旧できるため、本装置を加入者と電話局との参照点のＵ点に設置し、特に落雷時のＤＳＵのハングアップを改善する機能を提供することにある。
【００１８】
【課題を解決するための手段】
本発明による加入者線リセット装置は、加入者と電話局との参照点のＵ点に、ＤＳＵのハングアップを検出してリレーによりリセット（切断／接続、又は短絡／開放）する機能を設けたことを特徴としている。この課題を解決する手段を明確にすべく、特開平１０−２１０１４７号公報に開示された「信号検出回路」の内容を引用しながら、その「信号検出回路」の構成を示す図４を参照しながら説明する。
【００１９】
図４において、ＤＳＵ１０１は、電話局２１４から送られてくるＡＭＩ符号等の伝送路符号と電源電力とを分離する電力分離フィルタ２０２を有している。前記電力分離フィルタ２０２の信号側端子には、Ｕ点側送信トランス２０３及びＵ点側受信トランス２０４を介して信号処理部２０５が接続されている。信号処理部２０５は、波形等化やタイミング抽出等を行う終端回路２０６と、終端回路２０６に接続されＴＥ１０３とのインタフェースを行うインタフェース回路２０７とを有している。インタフェース回路２０７は、Ｓ／Ｔ点側送信トランス２０８及びＳ／Ｔ点側受信トランス２０９が接続され、これらのＳ／Ｔ点側送信トランス２０８の送信端子ＲＡ、ＲＢ及びＳ／Ｔ点側受信トランス２０９の受信端子ＴＡ、ＴＢに、４線式メタル回線を介してＴＥ１０３が接続されている。Ｓ／Ｔ点側受信トランス２０９の２次側端子ＬＰＡ、ＬＰＢには、ＴＥ１０３から送られてくるアナログＩＮＦＯ１信号を検出する信号検出回路２１０が接続されている。
【００２０】
一方、電力分離フィルタ２０２の電力側端子には、信号検出回路２１０の出力信号によってオン状態になるループスイッチ２１２と抵抗２１１が接続されると共に、ＤＣ／ＤＣ変換部２１３が接続されている。ＤＣ／ＤＣ変換部２１３は、電話局２１４から送られてくる直流電力に基づき、信号処理部２０５及び信号検出回路２１０を駆動するための直流電圧Ｖｏ１（例えば、５Ｖ）と、４線式メタル回線を介してＴＥ１０３への駆動用の直流電圧Ｖｏ２（例えば、４０Ｖ）とを出力する回路である。電話局２１４内には、局内回線終端盤（以下ＯＣＵという）２１５等が設置されている。ＯＣＵ２１５は、終端回路２１７、及び電流供給回路２１６等を有している。
【００２１】
ＩＳＤＮ基本インタフェースでは、非通信時でのＴＥ１０３とＤＳＵ１０１の消費電力を低減することを目的として、通信時のみ信号処理部２０５内のインタフェース回路２０７等を起動し、非通信時にはＴＥ１０３及びＤＳＵ１０１の機能を停止する呼ごとの起動・停止が可能となる構成がとられている。ＴＥ１０３から信号処理部２０５内のインタフェース回路２０７等を起動するには（発呼起動）、ＴＥ１０３からアナログＩＮＦＯ１信号と呼ばれる起動信号をＤＳＵ１０１に送出する。
【００２２】
又、電話局２１４から信号処理部２０５内のインタフェース回路２０７等を起動するには（着呼起動）、ＯＣＵ２１５によって給電極性をノーマル給電（加入者線Ｌ１側の電圧がＬ２側に比べて高い状態）からリバース給電（加入者線Ｌ２側の電圧がＬ１側に比べて高い状態）に転極する必要がある。
【００２３】
一般に、ＤＳＵ１０１はＴＥ１０３からの発呼起動を信号検出回路２１０で検出すると、次のような動作を行う。ＴＥ１０３からの発呼信号（アナログＩＮＦＯ１信号）を信号検出回路２１０が検出すると、この信号検出回路２１０の出力信号によってループスイッチ２１２がオン状態となり、加入者線Ｌ１、電力分離フィルタ２０２、抵抗２１１、ループスイッチ２１２、電力分離フィルタ２０２、及び加入者線Ｌ２の経路で直流のループ電流が流れる。ＯＣＵ２１５では、そのループ電流を検出すと、給電極性をノーマル極性からリバース極性とし、電流供給回路２１６から定電流を加入者線を通してＤＳＵ１０１へ供給する。
【００２４】
ＤＳＵ１０１は、ＯＣＵ２１５からの上限電圧約６０Ｖの電圧を持つ定電流供給にて、ＤＳＵ内部回路１０２の負荷により約２８Ｖに下がり通常運用されるが、この運用状態にて加入者線Ｌ１、Ｌ２間に５０Ｖ前後を超えた電圧が入力されると、ＤＳＵ１０１の加入者線の入力インピーダンスが上がり、過給電を保護する。この時、ＤＳＵ１０１は、加入者線からの給電を受けられず、停止状態となる。
【００２５】
又、ＯＣＵ２１５は、定電流給電を行うため、負荷インピーダンスに比例して供給電圧が上昇する（上限電圧約６０Ｖ）。このため、落雷時には下記の▲１▼〜▲５▼に述べる動作となりＤＳＵ１０１がハングアップする恐れがある。
【００２６】
▲１▼  落雷により、加入者線Ｌ１、Ｌ２間に５０Ｖ前後を超えた電圧が入力される。
▲２▼  その瞬間、ＤＳＵ１０１の加入者線側の入力インピーダンスが上がり、過給電を保護する。
▲３▼  一方、ＯＣＵ２１５は、定電流給電を行うため、負荷インピーダンスに比例して供給電圧が上昇する。（上限電圧約６０Ｖ）
▲４▼  落雷による誘導電圧が無くなった後も、ＯＣＵ２１５の供給電圧が高いため、▲２▼と同様となり、ＤＳＵ１０１の加入者線の入力インピーダンスは高いままとなる。
▲５▼  ＤＳＵ１０１の加入者線の入力インピーダンスが高いため、▲３▼と同様となり、ＯＣＵ２１５の供給電圧は高いままとなる。
よって、▲４▼、▲５▼の繰り返しとなり、ＤＳＵ１０１のハングアップ状態が保持される。
【００２７】
このハングアップを解決するには、▲４▼、▲５▼の段階（落雷後のＤＳＵ１０１のハングアップ時）に、加入者線をリセット（切断／接続、又は短絡／開放）し、ＤＳＵ１０１の加入者線の入力インピーダンスを下げることが得策である。ＤＳＵ１０１の加入者線の入力インピーダンスが下がると、ＯＣＵ２１５の供給電圧も下がり、正常運用が可能となる。
【００２８】
尚、リセット方法にて、切断／接続はＯＣＵ２１５からの給電停止となるため、ＤＳＵ１０１の加入者線の入力インピーダンスが下がることはいうまでも無いが、短絡／開放は前記の発呼信号の動作となりＯＣＵ２１５では給電極性をノーマル極性からリバース極性に切り替わり、一時的に回線への直流給電電圧が除去されることより、ＤＳＵ１０１の加入者線の入力インピーダンスが下がる。
【００２９】
異常の問題点を解消する具体的な手段としては、デジタル回線の通信線に接続されるデジタル加入者系のＤＳＵ（１０１）を内蔵するＴＥ（１０３）と電話局（２１４）との参照点であるＵ点に加入者線リセット装置（１０８）を設置することである。この加入者線リセット装置（１０８）は、所定時間に渡って加入者線の電圧値又は電流値が所定の正常値であるか否かを監視し、ＤＳＵ（１０１）がハングアップした時、ハングアップによる回線断を検出するハングアップ検出回路（１１３）と、加入者線をリセット（切断／接続又は短絡／開放）するリレー回路（１０９）と、リレー回路（１０９）のリセット動作を制御する制御回路（１１０）を有する。ハングアップ検出回路（１１３）によって回線断が検出された場合には、制御回路（１１０）は、雷サージにてＤＳＵ（１０１）がハングアップしたものと判断し、リレー回路（１０９）を制御し、リセット動作させる。
【００３０】
【作用】
従って、上記構成を有する加入者線リセット装置によれば、落雷（特に５０Ｖ前後を超える雷サージ）にてＤＳＵ（１０１）が誤動作、即ちＤＳＵ（１０１）がハングアップしても、自律的に正常運用に復旧するという効果が得られる。又、加入者線リセット装置は、ＤＳＵ１０１そのものの過給電保護特性を向上させる手段ではないため、特に移動通信基地局装置等の場合、既に設置した回線終端装置を交換する必要が無いという効果が得られる。
【００３１】
【発明の実施の形態】
本発明の上記及び他の目的、特徴及び利点を明確にすべく、以下添付した図面を参照しながら、本発明の実施の形態につき詳細に説明する。
【００３２】
図１は本発明の一実施の形態に係る加入者線リセット装置の構成を示すブロック図である。図１において、筺体１０６は、移動通信基地局装置等にて回線終端装置（以下、ＤＳＵと呼ぶ。）１０１、通信機器（以下、ＴＥと呼ぶ。）１０３、雷防護アダプタ（以下、ＬＰと呼ぶ。）１０５を一体にした筺体を示す。加入者保安器（以下、ＡＲＲと呼ぶ。）１０７は加入者線引き込み部に設けられるものであり通常は電柱や壁面に設置される。
【００３３】
Ｒ１〜Ｒ６は過大な電流がＤＳＵ内部回路１０２やＴＥ内部回路１０４に流入するのを防止するための抵抗、Ｚ１〜Ｚ１２は避雷素子でありガス入り放電管やバリスタやＰＮＰＮ半導体素子などが用いられる。ＤＳＵ１０１内には避雷素子Ｚ１〜Ｚ７を実装しており、さらにＬＰ１０５を接続して、ＤＳＵ内部回路１０２やＴＥ内部回路１０４のバイパス回路を付加する対策が行われている。ＬＰ１０５は、内部に加入者線側の避雷素子Ｚ８、Ｚ９、及び電源線側の避雷素子Ｚ１０、Ｚ１１を実装しており、さらに加入者線の２線間にＺ１２を挿入して雷サージのバイパス回路を構成している。
【００３４】
加入者線リセット装置１０８はデジタル回線の通信線に接続されるデジタル加入者系のＤＳＵ１０１を内蔵するＴＥ１０３と電話局（図４における２１４）との参照点であるＵ点に設置される。加入者線リセット装置１０８は、リレー回路１０９、制御回路１１０、サージ回路１１１、電源回路１１２、及びハングアップ検出回路１１３を有して構成される。移動通信基地局装置等の場合、既存の電源装置等の付帯収容箱に後から設置することを考慮されている。そのため、設置スペースを多くとらないよう小型化され、且つ両面テープ又は面ファスナーで自重を支えられる程度の質量に抑えられている。尚、既存の電源装置等の付帯収容箱に設置されるため、基本的には防水性を持たないが、オプションとして防水性のある筺体としてもよく、既存の電源装置等の付帯収容箱とは別にも設置できる。
【００３５】
ハングアップ検出回路１１３は、数秒レベルの所定時間に渡って加入者線の電圧値又は電流値が所定の正常値であるか否かを監視し、ＤＳＵ１０１がハングアップした時、ハングアップによる回線断を検出する。リレー回路１０９は、加入者線をリレーにてリセット（切断／接続又は短絡／開放）する。制御回路１１０はリレー回路１０９のリセット動作を制御する。高寿命のリレーにて構成され、加入者線を切断／接続、又は短絡／開放する。
【００３６】
電源回路１１２は、リレー回路１０９、制御回路１１０、及びハングアップ検出回路１１３を駆動するための回路であり、単電圧若しくは複数電圧のコンパチブルとなる。加入者線による給電に頼らず、独立した電源で装置に供給する。
【００３７】
サージ回路１１１は、ＬＰ１０５と同等であり、通信線又は電源線から侵入した雷サージを接地線又は交流電源線に放流する。そのため、リレー回路１０９、制御回路１１０、電源回路１１２、及びハングアップ検出回路１１３を保護するだけでなく、システム全体として、より耐雷性を向上することができる。前記リレーが短絡／開放の場合、加入者線リセット装置１０８内部に配線される加入者線を除き、活線状態にて装置交換が可能となる。
【００３８】
ハングアップ検出回路１１３によって回線断が検出された場合には、制御回路１１０は、雷サージにてＤＳＵ１０１がハングアップしたものと判断し、リレー回路１０９を制御し、リセット動作させる。
【００３９】
次に、本実施の形態の動作につき説明する。まず、ＤＳＵ内部回路の動作について、特開平１０−２１０１４７に開示された「信号検出回路」の内容を引用しながら、図４のブロック図を用いて説明する。図４において、ＤＳＵ１０１は、電力分離フィルタ２０２を有しており、電力分離フィルタ２０２の信号側端子には、Ｕ点側送信トランス２０３及びＵ点側受信トランス２０４を介して信号処理部２０５が接続されている。信号処理部２０５は、終端回路２０６とインタフェース回路２０７とを有している。インタフェース回路２０７は、Ｓ／Ｔ点側送信トランス２０８及びＳ／Ｔ点側受信トランス２０９が接続され、これらのＳ／Ｔ点側送信トランス２０８の送信端子ＲＡ、ＲＢ及びＳ／Ｔ点側受信トランス２０９の受信端子ＴＡ、ＴＢに、４線式メタル回線を介してＴＥ１０３が接続されている。Ｓ／Ｔ点側受信トランス２０９の２次側端子ＬＰＡ、ＬＰＢには、信号検出回路２１０が接続されている。
【００４０】
一方、電力分離フィルタ２０２の電力側端子には、ループスイッチ２１２と抵抗２１１が接続されると共に、ＤＣ／ＤＣ変換部２１３が接続されている。ＤＣ／ＤＣ変換部２１３は、電話局２１４から送られてくる直流電力に基づき、信号処理部２０５及び信号検出回路２１０を駆動するための直流電圧Ｖｏ１（例えば、５Ｖ）と、４線式メタル回線を介してＴＥ１０３への駆動用の直流電圧Ｖｏ２（例えば、４０Ｖ）とを出力する回路である。電話局２１４内には、ＯＣＵ２１５等が設置されている。前記ＯＣＵ２１５は、終端回路２１７、及び電流供給回路２１６等を有している。
【００４１】
ＩＳＤＮ基本インタフェースでは、非通信時でのＴＥ１０３とＤＳＵ１０１の消費電力を低減することを目的として、通信時のみ信号処理部２０５内のインタフェース回路２０７等を起動し、非通信時にはＴＥ１０３及びＤＳＵ１０１の機能を停止する呼ごとの起動・停止が可能となる構成がとられている。着呼起動するには、ＯＣＵ２１５によって給電極性をノーマル給電からリバース給電に転極する必要がある。発呼起動するには、ＴＥ１０３からの発呼信号を信号検出回路２１０が検出すると、この信号検出回路２１０の出力信号によってループスイッチ２１２がオン状態となり、加入者線Ｌ１、電力分離フィルタ２０２、抵抗２１１、ループスイッチ２１２、電力分離フィルタ２０２、及び加入者線Ｌ２の経路で直流のループ電流が流れる。ＯＣＵ２１５は、そのループ電流を検出すると、給電極性をノーマル極性からリバース極性とし、電流供給回路２１６から定電流を加入者線を通してＤＳＵ１０１へ供給する。
【００４２】
ＤＳＵ１０１は、ＯＣＵ２１５からの上限電圧約６０Ｖの電圧を持つ定電流供給にて、ＤＳＵ内部回路１０２の負荷により約２８Ｖに下がり通常運用されるが、この運用状態にて加入者線Ｌ１、Ｌ２間に５０Ｖ前後を超えた電圧が入力されると、ＤＳＵ１０１の加入者線の入力インピーダンスが上がり、過給電を保護する。この時、ＤＳＵ１０１は、加入者線からの給電を受けられず、停止状態となる。
【００４３】
又、ＯＣＵ２１５は、定電流給電を行うため、負荷インピーダンスに比例して供給電圧が上昇する（上限電圧約６０Ｖ）。このため、落雷時には下記の▲１▼〜▲５▼の動作となりＤＳＵ１０１がハングアップする恐れがある。
【００４４】
▲１▼落雷により、加入者線Ｌ１、Ｌ２間に５０Ｖ前後を超えた電圧が入力される。
▲２▼その瞬間、ＤＳＵ１０１の加入者線側の入力インピーダンスが上がり、過給電を保護する。
▲３▼一方、ＯＣＵ２１５は、定電流給電を行うため、負荷インピーダンスに比例して供給電圧が上昇する。（上限電圧約６０Ｖ）
▲４▼落雷による誘導電圧が無くなった後も、ＯＣＵ２１５の供給電圧が高いため、▲２▼と同様となり、ＤＳＵ１０１の加入者線の入力インピーダンスは高いままとなる。
▲５▼ＤＳＵ１０１の加入者線の入力インピーダンスが高いため、▲３▼と同様となり、ＯＣＵ２１５の供給電圧は高いままとなる。
よって、▲４▼、▲５▼の繰り返しとなり、ＤＳＵ１０１のハングアップ状態が保持される。
【００４５】
このハングアップを解決するには、▲４▼、▲５▼の段階（落雷後のＤＳＵ１０１のハングアップ時）に、加入者線をリセット（切断／接続、又は短絡／開放）し、ＤＳＵ１０１の加入者線の入力インピーダンスを下げることが得策である。ＤＳＵ１０１の加入者線の入力インピーダンスが下がると、ＯＣＵ２１５の供給電圧も下がり、正常運用が可能となる。尚、リセット方法にて、切断／接続はＯＣＵ２１５の給電停止となるため、ＤＳＵ１０１の加入者線の入力インピーダンスが下がることはいうまでも無いが、短絡／開放は前記の発呼信号の動作となりＯＣＵ２１５では給電極性をノーマル極性からリバース極性に切り替わり、一時的に回線への直流給電電圧が除去されることより、ＤＳＵ１０１の加入者線の入力インピーダンスが下がる。
【００４６】
上記した原因により生ずるハングアップを解決するためには、加入者線をリセット（切断／接続、又は短絡／開放）し、ＤＳＵ１０１の加入者線の入力インピーダンスを下げることが必要であることに着目した結果、本発明が提案されたのである。
【００４７】
以下、加入者線リセット装置１０８の動作について述べる。ハングアップ検出回路１１３は、数秒レベルの所定時間に渡って加入者線の電圧値又は電流値が所定の正常値であるか否かを監視し、ＤＳＵ１０１がハングアップした時、ハングアップによる回線断を検出する。ハングアップ検出回路１１３によって回線断が検出された場合には、制御回路１１０は、雷サージにてＤＳＵ１０１がハングアップしたものと判断し、リレー回路１０９を駆動制御し、リセット動作させ、加入者線を切断／接続、又は短絡／開放する。
【００４８】
ＤＳＵ１０１のハングアップは加入者線の電圧又は電流にて検出するのであるが、さらにＤＳＵ１０１がハングアップした場合と、それ以外の回線断（加入者線が物理的に短絡／断線した場合、ＯＣＵ２１５が故障又はハングアップした場合、ＤＳＵが故障した場合等）を区別することで、リレー回路１０９の無駄な動作を無くし、リレー寿命への影響を防ぐことができる。ＤＳＵ１０１のハングアップ以外の回線断を判断するために、検出タイマを設ける。ハングアップ検出回路１１３は、加入者線の電圧又は電流の監視を数秒レベルの所定時間に渡って行い、異常を検出してリレーを動作させた後、数分レベルの所定時間に渡って再度、加入者線の電圧又は電流の監視を行う。数回連続で異常を検出した場合、ＤＳＵ１０１のハングアップ以外の回線断と判断し、リセット動作を一時停止する。所定時間はタイマとカウンタの組み合わせで決定してもよい。リセット動作一時停止の解除は、正常運転である約２８Ｖ以下になると自動的に解除されるか、直流電源の再投入（若しくは電源スイッチのオフ／オン）にて解除される。
【００４９】
従って、落雷（特に５０Ｖ前後を超える雷サージ）にてＤＳＵ１０１が誤動作（ＤＳＵ１０１がハングアップ）しても、自律的に正常運用に復旧するという効果が得られる。又、ＤＳＵのハングアップを任意時間（数秒レベル）に渡って判断するため、実際にハングアップに至らない様な短時間での回線異常に反応して不用意に加入者線をリセットしないという効果がある。さらには、この実施の形態では、移動通信基地局装置等の場合、電源装置等の付帯収容箱に後から設置することを考慮されているので、新たな収容箱等は不要となる。
【００５０】
しかも、ＬＰ１０５と同等のサージ回路を設け、通信線又は電源線から侵入した雷サージを接地線又は交流電源線に放流するため、リセット回路１０９、制御回路１１０、及び電源回路１１２を保護するだけでなく、システム全体として、より耐雷性を向上することができるという効果もある。又、前記リレーが短絡／開放の場合、加入者線リセット装置１０８内部に配線される加入者線を除き、活線状態にて装置交換が可能となるという効果もある。
【００５１】
尚、上記実施の形態では、加入者線リセット装置１０８として、複数回線の回路を一つの筺体としてもよい。又、リセットした回数をカウントし、モニタできることとしてもよい。又、加入者線状態を検出する手段は、加入者線に対し高インピーダンスでブランチさせるため、加入者線のインピーダンスに影響を与えないこととしてもよい。又、電源供給が断したり、内部回路に故障が発生しても、加入者線には影響を与えず、正常通信で継続できることとしてもよい。又、装置不具合発生時には、アラームを接点により外部に通知することができることとしてもよい。
【００５２】
次に、本発明の他の実施の形態について述べる。その基本的構成は上記した構成と同様であるが、ハングアップ検出回路についてさらに工夫している。その構成を図２に示す。図２において、ハングアップ検出回路１１３に相当するものがここではＴＥ１０３となる。ＤＳＵ１０１がハングアップした場合、４線式メタル回線への信号も停止し、ＴＥ１０３にて回線断（以下ＲＥＣという）を検出することができる。移動通信基地局装置等の場合、外部リセット端子を設けていることがあり、ＤＳＵ１０１がハングアップし、ＴＥ１０３にてＲＥＣを検出した場合、その外部リセット端子を動作させ、加入者線リセット装置１０８内のリレー制御回路１１０を介して、リレー回路１０９を動作させる。
【００５３】
又、ＤＳＵ１０１がハングアップした場合と、それ以外の回線断（加入者線が物理的に短絡／断線した場合、ＯＣＵ２１５が故障又はハングアップした場合、ＤＳＵが故障した場合等）を区別することで、リレー回路１０９の無駄な動作を無くし、リレー寿命への影響を防ぐことができる。ＴＥ１０３は、ＤＳＵ１０１のハングアップ以外の回線断を判断するために、伝送路のレイヤ２の起動／停止を監視する。レイヤ２が起動している状態で、ＲＥＣを検出した場合、ＤＳＵ１０１のハングアップの可能性もあるとして、外部リセット端子（リレー回路１０９）を動作させる。
【００５４】
その後、ＴＥ１０３が再起動する際、レイヤ２が停止している状態で数回連続でＲＥＣを検出した場合、ＤＳＵ１０１のハングアップ以外の回線断と判断し、外部リセット端子（リレー回路１０９）の動作を無視する。この無視が解除されるのは、レイヤ２が起動している場合であるが、この場合、ＤＳＵ１０１のハングアップ以外の回線断の原因を取り除くしかない。
【００５５】
前記のＲＥＣの検出、外部リセット端子の動作、ＤＳＵ１０１のハングアップ以外の回線断の判断等は、ソフトウェアにて制御するものとする。
【００５６】
このように、本形態では、ソフトウェアにて制御するので変更が容易であり、さらに、動作条件の自由度が向上するという効果が得られる。
【００５７】
本構成において、外部リセット端子は既存の端子を利用し、加入者線リセット装置１０８内のリレー制御回路１１０にて、既存のリセット目的への端子出力とリレー回路１０９動作に仕分けてもよい。又、ＴＥ１０３側から送信する既存のリセット目的への端子出力の仕分け信号等は、ソフトウェアにて制御としてもよい。
【００５８】
尚、本発明が上記各実施の形態に限定されず、本発明の技術思想の範囲内において、各実施の形態は適宜変更され得ることは明らかである。
【００５９】
【発明の効果】
以上説明したように、本願発明によれば、ＤＳＵのハングアップを検出するという基本構成に基づき、自律的に加入者線をリセット（切断／接続、又は短絡／開放）することを実現した結果、下記の効果が得られる。
【００６０】
（１）本装置を加入者と電話局との参照点のＵ点に設置し、落雷（特に５０Ｖ前後を超えた雷サージ）にてＤＳＵが誤動作（ＤＳＵがハングアップ）しても、自律的に正常運用に復旧するため、特に落雷時のＤＳＵのハングアップを改善する効果が得られる。
【００６１】
（２）移動通信基地局等において、ＤＳＵのハングアップを解除するための伝送事業者のループ試験に代わる機能として、自律的に加入者線をリセット（切断／接続、又は短絡／開放）するため、ループ試験の順番待ちをせずに早く復旧できるという効果が得られる。
【００６２】
（３）設置スペースを多くとらないよう小型化され、且つ両面テープ又は面ファスナーで自重を支えられる程度の質量に抑えられており、且つ制御回路用として既設の電源装置の直流電源を利用するために低消費電力に抑えられているため、移動通信基地局装置等の場合、既存の電源装置等の付帯収容箱に後から設置することができるという効果が得られる。
【００６３】
（４）基本的には防水性を持たないが、オプションとして防水性のある筺体としてもよく、既存の電源装置等の付帯収容箱とは別にも設置することができるという効果が得られる。
【００６４】
（５）ＤＳＵがハングアップした場合と、それ以外の回線断（加入者線が物理的に短絡／断線した場合、ＯＣＵが故障又はハングアップした場合、ＤＳＵが故障した場合等）を区別することで、リレー回路の無駄な動作を無くし、リレー寿命への影響を防ぐことができるという効果が得られる。
【００６５】
（６）ＤＳＵのハングアップを任意時間（数秒レベル）に渡って判断するため、実際にハングアップに至らない様な短時間での回線異常に反応して不用意に加入者線をリセットしないという効果が得られる。
【００６６】
（７）ＬＰと同等のサージ回路を設け、通信線又は電源線から侵入した雷サージを接地線又は交流電源線に放流するため、加入者線リセット装置の内部回路を保護するだけで無く、システム全体として、より耐雷性を向上することができるという効果が得られる。
【００６７】
（８）前記リレーが短絡／開放の場合、加入者線リセット装置内部に配線される加入者線を除き、活線状態にて装置交換が可能となるという効果も得られる。
【００６８】
（９）加入者線リセット装置として、複数回線の回路を一つの筺体としてもよいため、設置スペースを有効に活用することができるという効果が得られる。
【００６９】
（１０）ＴＥにて、ＤＳＵのハングアップ検出（ＲＥＣの検出）、外部リセット端子の動作、ＤＳＵのハングアップ以外の回線断の判断等を、ソフトウェアにて制御することもできるため、変更が容易であり、動作条件の自由度が向上するという効果が得られる。
【００７０】
（１１）外部リセット端子は既存の端子を利用し、加入者線リセット装置内のリレー制御回路にて、既存のリセット目的への端子出力と、リレー回路動作に仕分けてもよく、又、ＴＥ側から送信する、既存のリセット目的への端子出力の仕分け信号等は、ソフトウェアにて制御としてもよいため、既存の端子を有効に活用することができるという効果が得られる。
【００７１】
（１２）回線終端装置そのものの過給電保護特性を向上させる手段では無いため、特に移動通信基地局装置等の場合、既に設置した回線終端装置を交換する必要が無いという効果が得られる。
【００７２】
（１３）リセットした回数をカウントし、モニタできるため、落雷発生分布のデータ解析等に役立つという効果が得られる。
【００７３】
（１４）加入者線状態を検出する手段は、加入者線に対し高インピーダンスでブランチさせるため、加入者線のインピーダンスに影響を与えないという効果が得られる。
【００７４】
（１５）電源供給が断したり、内部回路に故障が発生しても、加入者線には影響を与えないため、装置不具合発生時も正常通信で継続できるという効果が得られる。
【００７５】
（１６）装置不具合発生時には、アラームを接点により外部に通知することができるため、装置不具合発生時も迅速に装置交換することができるという効果が得られる。
【図面の簡単な説明】
【図１】本発明の第１の実施形態を示すブロック図である。
【図２】本発明の第２の実施形態を示すブロック図である。
【図３】従来の雷防護アダプタの一例の構成を示すブロック図である。
【図４】従来のＩＳＤＮ加入者線伝送系の概略のブロック図である。
【符号の説明】
１０１    回線終端装置（ＤＳＵ）
１０２    回線終端装置（ＤＳＵ）の内部回路
１０３    通信機器（ＴＥ）
１０４    通信機器（ＴＥ）の内部回路
１０５    雷防護アダプタ（ＬＰ）
１０６    筺体（移動通信基地局装置等の場合）
１０７    加入者保安器（ＡＲＲ）
１０８    加入者線リセット装置
１０９    リレー回路
１１０    リレー制御回路
１１１    サージ回路
１１２    電源回路
１１３    ハングアップ検出回路
２０１    加入者
２０２    電力分離フィルタ
２０３    Ｕ点側送信トランス
２０４    Ｕ点側受信トランス
２０５    信号処理部
２０６    終端回路
２０７    インタフェース回路
２０８    Ｓ／Ｔ点側送信トランス
２０９    Ｓ／Ｔ点側受信トランス
２１０    信号検出回路
２１１    抵抗
２１２    ループスイッチ
２１３    ＤＣ／ＤＣ変換部
２１４    電話局
２１５    局内回線終端盤（ＯＣＵ）
２１６    電流供給回路
２１７    終端回路
【図１】
0003726021.tif 000002
【図２】
0003726021.tif 000003
【図３】
0003726021.tif 000004
【図４】
0003726021.tif 000005